(57)【要約】  本開示は、物流情報を相関付け、物流内容情報を提供する方法及び装置を提供する。物流情報を相関付ける方法は、対象の取引注文に対して入力された物流情報を受信することと、対象の取引注文と関連付けられた対象の取引オブジェクト識別子を決定することと、対象の取引オブジェクト識別子に対応する対象のオブジェクト記述情報を決定することと、識別コードを決定することであって、識別コードは、グラフィックコードの形式で対象のクーリエ貨物運送状に印刷される、決定することと、対象のクーリエ貨物運送状上のグラフィックコードが撮像デバイスによってスキャンされるとき、対象のオブジェクト記述情報が撮像デバイスにおいて表示されて、対応するクーリエの小包内の製品のプレビューを提供するように、識別コードと対象のオブジェクト記述情報との間の対応関係を確立及び記憶することと、を含む。本開示は、運搬人の小包を正確に配送することを支援する。
2018515829.tif 000002
【特許請求の範囲】
【請求項１】
物流情報を相関付ける方法であって、前記方法は、
対象の取引注文に対して入力された物流情報を受信することと、
前記対象の取引注文と関連付けられた対象の取引オブジェクト識別子を決定することと、
前記対象の取引オブジェクト識別子に対応する対象のオブジェクト記述情報を決定することと、
識別コードを決定することであって、前記識別コードは、グラフィックコードの形式で対象のクーリエ貨物運送状に印刷される、決定することと、
前記対象のクーリエ貨物運送状上の前記グラフィックコードが撮像デバイスによってスキャンされるとき、前記対象のオブジェクト記述情報が前記撮像デバイスにおいて表示されて、対応するクーリエの小包内の製品のプレビューを提供するように、前記識別コードと前記対象のオブジェクト記述情報との間の対応関係を確立及び記憶することと、
を備える、方法。
【請求項２】
前記識別コードと前記対象のオブジェクト記述情報との間の前記対応関係を記憶する取引オブジェクト内容記述情報のデータベースを事前に確立することと、
前記対象の取引オブジェクト識別子に対応する前記対象のオブジェクト記述情報を決定することは、
前記データベースを検索することと、
前記対象の取引オブジェクト識別子に対応する前記対象のオブジェクト記述情報を決定することと、
を含む、請求項１に記載の方法。
【請求項３】
前記対象の取引オブジェクト識別子に対応する前記対象のオブジェクト記述情報を決定することは、
前記対象の取引オブジェクトの詳細な記述情報を取得することと、
前記詳細な記述情報から前記対象の取引オブジェクトに対応する前記対象のオブジェクト記述情報を抽出することと、
を含む、請求項１に記載の方法。
【請求項４】
前記識別コードを決定することは、
前記物流情報から対象の運搬人貨物運送状識別子を抽出することと、
前記対象の運搬人貨物運送状識別子を前記識別コードとして決定することと、
を含む、請求項１に記載の方法。
【請求項５】
前記識別コードを決定することは、前記識別コードを生成することを含み、
前記方法はさらに、
前記生成された識別コードに従って、グラフィックコードを生成することと、
前記対象の運搬人貨物運送状に印刷されるように前記生成されたグラフィックコードを返却することと、
を備える、請求項１に記載の方法。
【請求項６】
前記対象の取引注文と関連付けられたプレビュー特権情報を決定することと、
前記識別コードと前記対象のオブジェクト記述情報との間の前記対応関係を記憶するときに前記プレビュー特権情報を記憶することと、
をさらに備える、請求項１〜５のいずれか１項に記載の方法。
【請求項７】
前記グラフィックコードが前記撮像デバイスによってスキャンされるときに特権制御がパスワード認証を通じて行われるように、前記プレビュー特権情報は、パスワード情報を含む、請求項６に記載の方法。
【請求項８】
物流情報を提供する方法であって、前記方法は、
サーバによって、識別コードと対象のオブジェクト記述情報との間の対応関係を事前に記憶することと、
前記対象のオブジェクト記述情報を取得する要求をクライアント端末から受信するとき、前記識別コードの情報を前記要求から抽出することであって、対象のクーリエ貨物運送状上のグラフィックコードが撮像デバイスによるスキャンを介して取得された後、前記クライアント端末は、前記グラフィックコードから前記識別コードを分析及び抽出し、前記要求を送信する、抽出することと、
前記事前に記憶された対応関係に従って、前記識別コードと関連付けられた前記対象のオブジェクト記述情報を決定することと、
前記クライアント端末が存在する端末デバイスが、前記対象のオブジェクト記述情報を表示して、対応する運搬人の小包内の製品をプレビューするように、前記対象のオブジェクト記述情報を返却することと、
を備える、方法。
【請求項９】
前記事前に記憶された対応関係は、プレビュー特権情報を含み、
前記方法はさらに、
前記クライアント端末の特権認証を行うために前記プレビュー特権情報を使用することと、
前記特権認証が通る場合、前記対象のオブジェクト記述情報を返却するステップをトリガすることと、
を備える、請求項７に記載の方法。
【請求項１０】
前記プレビュー特権情報は、パスワード情報を含み、
前記クライアント端末の前記特権認証を行うために前記プレビュー特権情報を使用することは、
前記パスワード情報を入力するオプションを提供することと、
前記クライアント端末によってアップロードされた前記パスワード情報を受信した後、前記クライアント端末によってアップロードされた前記パスワード情報を前記対応関係に記憶された前記パスワード情報と比較することと、
前記クライアント端末によってアップロードされた前記パスワード情報が前記対応関係に記憶された前記パスワード情報と一致するとき、前記特権認証を通すことと、
を含む、請求項９に記載の方法。
【請求項１１】
物流内容情報を提供する方法であって、前記方法は、
クライアント端末によって、スキャンされたグラフィックコードから識別コードを抽出することであって、前記グラフィックコードは、運搬人貨物運送状に印刷される、抽出することと、
サーバが、前記識別コードと対象のオブジェクト記述情報との間の事前に記憶された対応関係に従って、前記識別コードと関連付けられた前記対象のオブジェクト記述情報を決定及び返却するように、前記識別コードを前記サーバに提出することと、
前記対象のオブジェクト記述情報を前記サーバから受信した後、前記対象のオブジェクト記述情報を表示して、運搬人の小包内の製品をプレビューすることと、
を備える、方法。
【請求項１２】
前記対象のオブジェクト記述情報を表示することは、
前記対象のオブジェクト記述情報を表示するために、端末デバイスのスクリーン上の前記スキャンされたグラフィックコードの位置を座標として使用することを含む、
請求項１１に記載の方法。
【請求項１３】
取引注文を生成する方法であって、
取引オブジェクトに対する取引注文を生成するときのプレビュー特権設定オプションを提供することであって、前記プレビュー特権設定オプションは、運搬人貨物運送状に印刷されたグラフィックコードをスキャンすることによって運搬人の小包内の内容がプレビューされるときに対応するプレビュー特権情報を設定するために使用される、提供することと、
前記プレビュー特権設定オプションを通じてプレビュー特権情報を受信することと、
前記取引注文の識別子と前記プレビュー特権情報との間の対応関係を記憶することと、
を備える、方法。
【請求項１４】
前記運搬人貨物運送状に印刷された前記グラフィックコードをスキャンすることによって前記運搬人の小包の前記内容がプレビューされるときに特権制御がパスワード情報を通じて行われるように、前記プレビュー特権情報は、前記パスワード情報を含む、請求項１３に記載の方法。
【請求項１５】
物流情報を相関付ける装置であって、前記装置は、
対象の取引注文に対して入力された物流情報を受信する物流情報受信ユニットと、
前記対象の取引注文と関連付けられた対象の取引オブジェクト識別子を決定する対象オブジェクト識別子決定ユニットと、
前記対象の取引オブジェクト識別子に対応する対象のオブジェクト記述情報を決定する対象オブジェクト記述情報決定ユニットと、
識別コードを決定する識別コード決定ユニットであって、前記識別コードは、グラフィックコードの形式で対象のクーリエ貨物運送状に印刷される、前記識別コード決定ユニットと、
対象のクーリエ貨物運送状上のグラフィックコードが撮像デバイスによってスキャンされるとき、前記対象のオブジェクト記述情報が前記撮像デバイスにおいて表示されて、対応するクーリエの小包内の製品のプレビューを提供するように、前記識別コードと前記対象のオブジェクト記述情報との間の対応関係を確立及び記憶する対応関係確立ユニットと、
を備える、装置。
【請求項１６】
取引オブジェクト内容記述情報のデータベースを予め提供するデータベース確立ユニットであって、前記データベースは、前記識別コードと前記対象のオブジェクト記述情報との間の前記対応関係を記憶する、前記データベース確立ユニットをさらに備え、
前記対象オブジェクト記述情報決定ユニットは、
前記データベースを検索し、前記対象の取引オブジェクト識別子に対応する前記対象のオブジェクト記述情報を決定する問い合わせサブユニットを含む、
請求項１５に記載の装置。
【請求項１７】
前記対象オブジェクト記述情報決定ユニットは、
前記対象の取引オブジェクトの詳細な記述情報を取得する詳細記述情報取得サブユニットと、
前記詳細な記述情報から前記対象の取引オブジェクトに対応する前記対象の内容記述情報を抽出する内容記述情報抽出サブユニットと、
を含む、請求項１５に記載の装置。
【請求項１８】
前記識別コード決定ユニットは、前記物流情報から対象の運搬人貨物運送状識別子を抽出し、前記対象の運搬人貨物運送状番号を識別番号として決定する運搬人貨物運送状識別子抽出サブユニットを含む、請求項１５に記載の装置。
【請求項１９】
前記識別コード決定ユニットは、事前に設定されたルールに従って前記識別コードを生成する識別コード生成サブユニットを含み、
前記装置はさらに、
前記生成された識別コードに従って、グラフィックコードを生成するグラフィックコード生成ユニットと、
前記生成されたグラフィックコード情報を返却して、前記生成されたグラフィックコードを対象の運搬人貨物運送状に印刷するグラフィックコード情報返却ユニットと、
を備える、請求項１５に記載の装置。
【請求項２０】
前記対象の取引注文と関連付けられたプレビュー特権情報を決定するプレビュー特権情報決定ユニットと、
前記対象の運搬人貨物運送状識別番号と前記対象のオブジェクト記述情報との間の前記対応関係を記憶するときに前記プレビュー特権情報を記憶するプレビュー特権情報記憶ユニットと、
をさらに備える、請求項１５〜１９のいずれか１項に記載の装置。
【請求項２１】
前記グラフィックコードが前記撮像デバイスによってスキャンされるときに特権制御がパスワード認証を通じて行われるように、前記プレビュー特権情報は、パスワード情報を含む、請求項２０に記載の装置。
【請求項２２】
物流情報を提供する装置であって、前記装置は、
サーバが識別コードと対象のオブジェクト記述情報との間の対応関係を事前に記憶する対応関係記憶ユニットと、
対象のオブジェクト記述情報を取得する要求がクライアント端末から受信されるとき、前記識別コードの情報を前記要求から抽出する識別コード抽出ユニットであって、対象のクーリエ貨物運送状上のグラフィックコードが撮像デバイスによるスキャンを介して取得された後、前記クライアント端末は、前記グラフィックコードから前記識別コードを分析及び抽出し、前記要求を送信する、前記識別コード抽出ユニットと、
前記事前に記憶された対応関係に従って、前記識別コードと関連付けられた前記対象のオブジェクト記述情報を決定する対象オブジェクト記述情報決定ユニットと、
前記クライアント端末が存在する端末デバイスが、前記対象のオブジェクト記述情報を表示して、対応する運搬人の小包内の製品をプレビューするように、前記対象のオブジェクト記述情報を返却する対象オブジェクト記述情報返却ユニットと、
を備える、装置。
【請求項２３】
前記事前に記憶された対応関係は、プレビュー特権情報を含み、
前記装置はさらに、
前記クライアント端末の特権認証を行うために前記プレビュー特権情報を使用し、前記特権認証が通るとき、前記対象のオブジェクト記述情報を返却するステップをトリガする特権認証ユニットを備える、
請求項２２に記載の装置。
【請求項２４】
前記プレビュー特権情報は、パスワード情報を含み、
前記特権認証ユニットは、
前記パスワード情報を入力するオプションを提供するオプション提供サブユニットと、
前記クライアント端末によってアップロードされた前記パスワード情報を受信した後、前記クライアント端末によってアップロードされた前記パスワード情報を前記対応関係に記憶された前記パスワード情報と比較し、一致するときに前記特権認証を通すパスワード受信ユニットと、
を含む、請求項２３に記載の装置。
【請求項２５】
物流内容情報を提供する装置であって、前記装置は、
スキャンされたグラフィックコードから識別コードを抽出する識別子抽出ユニットであって、前記グラフィックコードは、運搬人貨物運送状に印刷される、前記識別子抽出ユニットと、
サーバが、前記識別コードと対象のオブジェクト記述情報との間の事前に記憶された対応関係に従って、前記識別コードと関連付けられた前記対象のオブジェクト記述情報を決定及び返却するように、前記識別コードを前記サーバに提出する提出ユニットと、
前記対象のオブジェクト記述情報が前記サーバから受信された後、前記対象のオブジェクト記述情報を表示して、運搬人の小包内の製品をプレビューする対象オブジェクト記述情報表示ユニットと、
を備える、装置。
【請求項２６】
前記対象オブジェクト記述情報表示ユニットは、前記対象のオブジェクト記述情報を表示するために、端末デバイスのスクリーン上の前記スキャンされたグラフィックコードの位置を座標として使用する、請求項２５に記載の装置。
【請求項２７】
取引注文を生成する装置であって、前記装置は、
取引オブジェクトに対する取引注文を生成するときのプレビュー特権設定オプションを提供する設定オプション提供ユニットであって、前記プレビュー特権設定オプションは、運搬人貨物運送状に印刷されたグラフィックコードをスキャンすることによって小包の内容がプレビューされるときに対応するプレビュー特権情報を設定するために使用される、前記設定オプション提供ユニットと、
前記プレビュー特権設定オプションを通じてプレビュー特権情報を受信するプレビュー特権情報受信ユニットと、
前記取引注文の識別子と前記プレビュー特権情報との間の対応関係を記憶する対応関係記憶ユニットと、
を備える、装置。
【請求項２８】
前記運搬人貨物運送状上の前記グラフィックコードをスキャンすることによって運搬人の小包内の内容がプレビューされるときに特権制御がパスワード情報を通じて行われるように、前記プレビュー特権情報は、前記パスワード情報を含む、請求項２７に記載の装置。
【発明の詳細な説明】
【技術分野】
【０００１】
本開示は、物流情報を処理する技術分野に関し、特に、クーリエ（ｃｏｕｒｉｅｒ）情報を相関付け、物流内容情報を提供する方法及び装置に関する。
【背景技術】
【０００２】
電子商取引プラットフォームの継続的改良、ならびに従来の通信及びモバイル通信技術の急速な発展により、人々はますますオンラインショッピングを通じて所望の製品を注文する。製品のタイプは、人々の日々の生活のあらゆる態様に関連することがある。購入者は、家を出ることなく、電子商取引プラットフォーム（ウェブサイトまたはモバイルアプリケーションなど）のクライアント端末を通じて発注し、売り手の発送、物流及び流通などの一連の処理を経て、最終的に製品を受け取ることしか必要としない。製品の流通は、非常に重要な部分である。製品が誤った受取人に送られる場合、購入者または売り手は損失を有することになる。
【発明の概要】
【０００３】
本開示は、正確な小包配送を達成することを支援する、クーリエ情報を相関付け、物流内容情報を提供する方法及び装置を提供する。
【０００４】
本開示は、以下の解決策を提供する。
【０００５】
本開示は、クーリエ情報を相関付ける方法を提供し、方法は、
対象の取引注文に対して入力された物流情報を受信することと、
対象の取引注文と関連付けられた対象の取引オブジェクト識別子を決定することと、
対象の取引オブジェクト識別子に対応する対象のオブジェクト記述情報を決定することと、
識別コードを決定することであって、識別コードは、グラフィックコードの形式で対象のクーリエ貨物運送状（ｗａｙｂｉｌｌ）に印刷される、決定することと、
対象のクーリエ貨物運送状上のグラフィックコードが撮像デバイスによってスキャンされるとき、対象のオブジェクト記述情報が撮像デバイスにおいて表示されて、対応するクーリエの小包内の製品のプレビューを提供するように、識別コードと対象のオブジェクト記述情報との間の対応関係を確立及び記憶することと、
を含む。
【０００６】
本開示はまた、物流内容情報を提供する方法を提供し、
サーバが識別コードと対象のオブジェクト記述情報との間の対応関係を事前に記憶することを含む。
【０００７】
対象のオブジェクト記述情報を取得する要求がクライアント端末から受信されるとき、識別コードの情報が要求から抽出される。対象のクーリエ貨物運送状上のグラフィックコードが撮像デバイスによるスキャンを介して取得された後、クライアント端末は、グラフィックコードから識別コードを分析及び抽出し、要求を送信する。
【０００８】
識別コードと関連付けられた対象のオブジェクト記述情報は、事前に記憶された対応関係に従って決定される。
【０００９】
クライアント端末が存在する端末デバイスが、対象のオブジェクト記述情報を表示して、対応する運搬人の小包内の製品をプレビューするように、対象のオブジェクト記述情報が返却される。
【００１０】
本開示はまた、物流内容情報を提供する方法を提供し、
クライアント端末が、スキャンされたグラフィックコードから識別コードを抽出することを含む。グラフィックコードは、運搬人貨物運送状に印刷されたグラフィックコードである。
【００１１】
サーバが、識別コードと対象のオブジェクト記述情報との間の事前に記憶された対応関係に従って、識別コードと関連付けられた対象のオブジェクト記述情報を決定及び返却するように、識別コードがサーバに提出される。
【００１２】
対象のオブジェクト記述情報がサーバから受信された後、クライアント端末は、対象のオブジェクト記述情報を表示して、運搬人の小包内の製品をプレビューする。
【００１３】
本開示はまた、取引注文を生成する方法を提供し、方法は、
取引オブジェクトに対する取引注文を生成するときのプレビュー特権設定オプションを提供することであって、プレビュー特権設定オプションは、運搬人貨物運送状に印刷されたグラフィックコードをスキャンすることによって運搬人の小包内の内容がプレビューされるときに対応するプレビュー特権情報を設定するために使用される、提供することと、
プレビュー特権設定オプションを通じてプレビュー特権情報を受信することと、
取引注文の識別子とプレビュー特権情報との間の対応関係を記憶することと、
を含む。
【００１４】
本開示は、クーリエ情報を相関付ける装置を提供し、装置は、
対象の取引注文に対して入力された物流情報を受信する物流情報受信ユニットと、
対象の取引注文と関連付けられた対象の取引オブジェクト識別子を決定する対象オブジェクト識別子決定ユニットと、
対象の取引オブジェクト識別子に対応する対象のオブジェクト記述情報を決定する対象オブジェクト記述情報決定ユニットと、
識別コードを決定する識別コード決定ユニットであって、識別コードは、グラフィックコードの形式で対象のクーリエ貨物運送状に印刷される、識別コード決定ユニットと、
対象のクーリエ貨物運送状上のグラフィックコードが撮像デバイスによってスキャンされるとき、対象のオブジェクト記述情報が撮像デバイスにおいて表示されて、対応するクーリエの小包内の製品のプレビューを提供するように、識別コードと対象のオブジェクト記述情報との間の対応関係を確立及び記憶する対応関係確立ユニットと、
を含む。
【００１５】
本開示はまた、物流内容情報を提供する装置を提供し、装置は、
サーバが識別コードと対象のオブジェクト記述情報との間の対応関係を事前に記憶する対応関係記憶ユニットと、
対象のオブジェクト記述情報を取得する要求がクライアント端末から受信されるとき、識別コードの情報を要求から抽出する識別コード抽出ユニットであって、対象のクーリエ貨物運送状上のグラフィックコードが撮像デバイスによるスキャンを介して取得された後、クライアント端末は、グラフィックコードから識別コードを分析及び抽出し、要求を送信する、識別コード抽出ユニットと、
事前に記憶された対応関係に従って、識別コードと関連付けられた対象のオブジェクト記述情報を決定する対象オブジェクト記述情報決定ユニットと、
クライアント端末が存在する端末デバイスが、対象のオブジェクト記述情報を表示して、対応する運搬人の小包内の製品をプレビューするように、対象のオブジェクト記述情報を返却する対象オブジェクト記述情報返却ユニットと、
を含む。
【００１６】
本開示はまた、物流内容情報を提供する装置を提供し、装置は、
スキャンされたグラフィックコードから識別コードを抽出する識別子抽出ユニットであって、グラフィックコードは、運搬人貨物運送状に印刷されたグラフィックコードである、識別子抽出ユニットと、
サーバが、識別コードと対象のオブジェクト記述情報との間の事前に記憶された対応関係に従って、識別コードと関連付けられた対象のオブジェクト記述情報を決定及び返却するように、識別コードをサーバに提出する提出ユニットと、
対象のオブジェクト記述情報がサーバから受信された後、対象のオブジェクト記述情報を表示して、運搬人の小包内の製品をプレビューする対象オブジェクト記述情報表示ユニットと、
を含む。
【００１７】
本開示はまた、取引注文を生成する装置を提供し、装置は、
取引オブジェクトに対する取引注文を生成するときのプレビュー特権設定オプションを提供する設定オプション提供ユニットであって、プレビュー特権設定オプションは、運搬人貨物運送状に印刷されたグラフィックコードをスキャンすることによって小包内容がプレビューされるときに対応するプレビュー特権情報を設定するために使用される、設定オプション提供ユニットと、
プレビュー特権設定オプションを通じてプレビュー特権情報を受信するプレビュー特権情報受信ユニットと、
取引注文の識別子とプレビュー特権情報との間の対応関係を記憶する対応関係記憶ユニットと、
を含む。
【００１８】
本開示の例示的な実施形態によって示されるように、本開示の技術は、特定の取引オブジェクトの識別コードと対象のオブジェクト記述情報との間の対応関係を確立し、識別コードに対応するグラフィックコード情報を運搬人貨物運送状に印刷する。撮像デバイスは、運搬人貨物運送状上のグラフィックコードをスキャンし、特定の対象のオブジェクト記述情報を撮像デバイスのスクリーンに表示するために使用されても良い。よって、運搬人の小包内の取引オブジェクトの内容を知るために運搬人の荷物を開封する必要がなく、それは、運搬人の荷物を正確に配送することを支援する。
【００１９】
もちろん、本開示を実装する製品は、上記技術の利点の全てを有する必要はない。
【００２０】
本開示の実施形態における技術的解決策または従来技術をより明確に示すために、実施形態を示す図面が以下で簡潔に導入される。図面は、本開示の実施形態の一部を説明するにすぎないことが明らかである。当業者のうちの１人は、創造的努力を使用することなく図面に従って他の図面を得ることができる。
【図面の簡単な説明】
【００２１】
【図１】本開示の実施形態に従った第１の方法を示すフローチャートである。
【図２】本開示の実施形態に従った第２の方法のフローチャートである。
【図３】本開示の実施形態に従った第３の方法を示すフローチャートである。
【図４】本開示の実施形態に従った第４の方法を示すフローチャートである。
【図５】本開示の実施形態に従った第１の装置の概略図である。
【図６】本開示の実施形態に従った第２の装置の概略図である。
【図７】本開示の実施形態に従った第３の装置を示す図である。
【図８】本開示の実施形態に従った第４の装置を示す図である。
【発明を実施するための形態】
【００２２】
本開示の以下の図面とともに、本開示の実施形態における技術的解決策が明確かつ完全に説明される。明らかに、説明される実施形態は、本開示の実施形態の一部にすぎず、本開示の実施形態の全てではない。本開示の実施形態に基づいて当業者によって得られる全ての他の実施形態が本開示の保護の範囲内にある。
【００２３】
本開示の実施形態では、貨物運送状番号が配送のための特定の製品と関連付けられる。よって、運搬人の荷物内の特定の製品を知る必要があるとき、小包に付された貨物運送状番号をスキャンするために撮像デバイスが使用される。次いで、対応する製品の情報が撮像デバイスによって表示される。言い換えると、詳細な製品内容が荷物を開封することなく知られ、それは、誤った製品を配送することを防止する。詳細な実施態様が以下で説明される。
【００２４】
第１の実施形態は以下の通りである。
【００２５】
図１を参照して、本開示のこの実施形態は最初に、相関付けられた物流情報を提供する方法を提供し、方法は、以下のステップを含んでも良い。
【００２６】
Ｓ１０１：対象の取引注文に対して入力された物流情報が受信される。
【００２７】
この実施形態では、各ステップの実行エンティティは、電子商取引プラットフォームのサーバであっても良い。電子商取引システムでは、購入者ユーザは、選択された商人の特定の取引オブジェクトに対する「注文決定（ｍａｋｉｎｇ  ｏｒｄｅｒ）」操作を行う。システムは、注文操作に対する取引注文を生成する。各取引注文は、システムにおける一意な注文識別子に対応する。取引注文はまた、取引オブジェクトの識別子、特定のモデル、色、及び他の属性などの、詳細な取引オブジェクトの情報であっても良い。商人は、取引注文に従って製品を発送する。
【００２８】
取引注文に従って製品を発送した後、商人は、物流会社の特定の名前、貨物運送状番号、発送時間などを含むことができる物流情報をシステムにアップロードする。購入者ユーザが注文された製品の物流情報を知るように、情報は、電子商取引プラットフォームのクライアント端末を介して購入者ユーザに提供されても良い。ステップＳ１０１では、対象の取引注文に対し商人によって入力された物流情報が受信される。
【００２９】
Ｓ１０２：対象の取引注文と関連付けられた対象の取引オブジェクト識別子が決定される。
【００３０】
取引注文が詳細な取引オブジェクト情報を記憶するので、対象の取引注文と関連付けられた、取引オブジェクトＩＤなどの取引オブジェクト識別子が決定される。
【００３１】
Ｓ１０３：対象の取引オブジェクト識別子に対応する対象のオブジェクト記述情報が決定される。
【００３２】
対象の取引オブジェクト識別子を決定した後、取引オブジェクト識別子に対応する対象のオブジェクト記述情報が決定される。対象のオブジェクト記述情報は、ユーザが貨物運送状上の貨物運送状番号をスキャンするために撮像デバイスを使用するときに撮像デバイスによって表示された情報であっても良い。
【００３３】
対象の取引オブジェクトに対応する対象のオブジェクト記述情報を決定する様々な特定の実施態様が存在する。例えば、１つの実施態様では、商人は概して、様々な取引オブジェクトを電子商取引プラットフォームシステムで発行するときに取引オブジェクトの詳細な記述情報を提出するので、対象の取引オブジェクトのそのような詳細な記述は概して、表示された取引オブジェクトの写真を含む。よって、対象の取引オブジェクトに対応する詳細な記述情報は、対象の取引オブジェクトに従って、製品詳細記述データベースから抽出され、次いで、製品の写真は、対象の取引オブジェクトに対応する対象のオブジェクト記述情報としてそれから抽出される。
【００３４】
代わりに、別の実施態様では、取引オブジェクト識別子と対象のオブジェクト記述情報との間の対応関係を記憶する、取引オブジェクト内容記述情報のデータベースが事前に確立される。よって、対象の取引オブジェクトに対応する対象のオブジェクト記述情報は、そのようなデータベースに問い合わせることを通じて直接決定される。例えば、データベースの構造は、図１に示されるようなものであっても良い。
【００３５】
【表１】
2018515829.tif 000003
【００３６】
取引オブジェクト内容記述情報のデータベースを確立する様々な方法が存在する。例えば、製品写真が様々な取引オブジェクトの詳細な記述情報から予め抽出され、対象のオブジェクト記述情報として取引オブジェクト内容記述情報のデータベースに保存される。代わりに、表示された情報をよりカラフルにするために、商人は、様々な対象のオブジェクトの対象のオブジェクト記述情報を生成するために３Ｄモデルを使用し、それらを電子商取引プラットフォームシステムのサーバにアップロードしても良い。よって、取引オブジェクト内容記述情報のデータベースに記憶された対象のオブジェクト記述情報は、３Ｄ効果を有する。
【００３７】
確かに、実際の適用では、取引オブジェクトの記述情報は、写真の形式にあるだけでなく、テキスト、音声、映像、フラッシュの形式、または様々な形式の組み合わせにもあっても良い。すなわち、内容記述情報を通じて、小包内の内容がプレビューされる。
【００３８】
Ｓ１０４：識別コードが決定される。識別コードは、グラフィックコードの形式で対象の運搬人貨物運送状に印刷される。
【００３９】
対象のオブジェクト記述情報を決定することに加え、識別コードが決定される。一方で、識別子は、運搬人の小包（運搬人の小包は、現在の取引注文の対象のオブジェクトを発送するための小包である）の貨物運送状と関連付けられる。他方で、本開示の実施形態の実施態様を通じて、識別コードはまた、前に決定された対象のオブジェクト記述情報と関連付けられる。すなわち、識別コードを通じて、貨物運送状は、対象のオブジェクト記述情報と関連付けられる。
【００４０】
識別コードを決定する様々な方法が存在する。例えば、１つの実施態様では、物流サービスプロバイダによって提供される貨物運送状は、事前に印刷され、受取人、発送人、及び他の情報を記入する事前に設定された余白が存在する。加えて、各貨物運送状は概して、貨物運送状番号（通常、文字及び数字で構成された文字列）ならびに対応するグラフィックコード（通常、バーコードの形式にある）で印刷される。グラフィックコードの目的は、スキャンを通じてコンピューティングシステムに貨物運送状番号を知らせることである。よって、貨物運送状番号は、識別コードとして直接決定されても良い。詳細な実施態様では、本開示の実施形態は、売り手ユーザが取引注文に対して物流情報を入力する処理の間に実行されるので、売り手ユーザによって入力された物流情報は概して、貨物運送状番号の情報を含み、貨物運送状番号の情報は、物流情報から抽出されても良く、貨物運送状番号の情報が識別コードとして使用される。よって、他のグラフィックコードを貨物運送状番号に印刷する必要がない。小包内容は、貨物運送状番号に対応するバーコードを直接スキャンすることによってプレビューされても良い。
【００４１】
代わりに、別の実施態様では、特に小包内容をプレビューするための識別コードが生成されても良い。例えば、文字列が事前に設定されたルールごとに生成され、生成された文字列は、既に生成されたものと異なる。そのような生成された文字列は、識別コードとして決定される。確かに、識別コードが取引プラットフォームにおいてサーバによって生成されるので、識別コードに対応するグラフィックコード情報は、貨物運送状番号に事前に印刷されない。よって、この実施態様の下で、識別コードが生成された後、識別コードに対応するグラフィックコードも生成される。グラフィックコードは、バーコード、２次元バーコード、または識別コードそのものなどの多くの形式を有しても良い。生成されたグラフィックコードは、売り手ユーザのクライアント端末に返却される。よって、売り手ユーザのクライアント端末が発送人及び受取人などの情報を貨物運送状に印刷するとき、グラフィックコードも貨物運送状の一部の余白に印刷される。よって、小包内の特定の内容は、特定のグラフィックコードをスキャンすることによってプレビューされる。
【００４２】
１０５：撮像デバイスが対象の運搬人貨物運送状上のグラフィックコードをスキャンするときに、運搬人の小包内の製品がプレビューされるように、識別コードと対象のオブジェクト記述情報との間の対応関係が確立及び記憶される。
【００４３】
対象の取引オブジェクトに対応する対象のオブジェクト記述情報及び識別コードが決定された後、識別コードと対象のオブジェクト記述情報との間の対応関係が確立及び記憶される。次いで、ユーザがその後、識別コードに対応するグラフィックコードをスキャンするために撮像デバイスを使用した後、対象のオブジェクト記述情報が撮像デバイスによって表示される。例えば、ユーザが対象の運搬人貨物運送状番号に対応するバーコードまたは他の特定のグラフィックコードをスキャンするために撮像デバイスを使用するとき、ユーザが小包を開封することなく小包内の内容を知るように、小包内の特定の内容の内容記述情報が撮像デバイスのスクリーンに実際に表示される。
【００４４】
対象のオブジェクト記述情報を撮像デバイスに表示するとき、拡張現実技術が使用されても良い。例えば、運搬人貨物運送状をスキャンするために撮像デバイスが使用されるとき、スキャンされたオブジェクトは、運搬人貨物運送状に表示されたバーコードである。バーコードをスキャンすることを通じて、スキャンされた対象の運搬人貨物運送状識別子が決定される。対象のオブジェクト記述情報は、運搬人貨物運送状識別子と対象のオブジェクト記述情報との間の対応関係に従って決定される。さらに、対象のオブジェクト記述情報は、撮像デバイスのスクリーン上のバーコードの位置を座標として使用することによって表示される。言い換えると、ユーザに対する効果を見ることは、対象のオブジェクト記述情報がスキャンされたバーコードの位置に表示され、それによって、表示効果を改善することである。
【００４５】
一部の実際の適用では、一部の購入者は、貨物運送状番号などをスキャンすることによって運搬人が運搬人の小包内の取引オブジェクトを見ることを望まないことに留意されたい。この状況に関して、本開示の実施形態はまた、購入者ユーザが注文をするときに購入者ユーザがプレビュー特権をセットアップするオプションを提供する。購入者ユーザがプレビュー特権をセットアップする必要がある場合、そのようなセットアップは、オプションを通じて行われても良い。取引注文が生成されるとき、特権の設定された情報も保存される。よって、対象の取引注文の物流情報が受信され、識別コードと対象のオブジェクト記述情報との間の対応関係のとき、対象の取引注文と関連付けられたプレビュー特権情報が決定され、識別コードとプレビュー特権情報との間の対応関係が保存される。
【００４６】
特権をセットアップする様々な方法が存在する。例えば、小包の内容を見るビューアの識別が制限される。別の例として、パスワードが設定されてもよい。ユーザが運搬人貨物運送状上のバーコードをスキャンするために撮像デバイスを使用するとき、パスワード認証が特権を制御するために使用されても良い。例えば、ユーザは、パスワードを最初に入力することを要求される。入力されたパスワードが記憶されたパスワードと一致するとき、詳細な対象のオブジェクト記述情報が表示される。
【００４７】
全体として、本開示の実施形態は、特定の取引オブジェクトに対応する識別コードと対象のオブジェクト記述情報との間の相関関係を確立し、識別コードに対応するグラフィックコード情報を運搬人貨物運送状に印刷する。よって、撮像デバイスが運搬人貨物運送状上のグラフィックコードをスキャンするために使用されるとき、詳細な対象のオブジェクト記述情報が撮像デバイスのスクリーンに表示される。よって、小包内の取引オブジェクト内容を知るために運搬人の小包を開封する必要がなく、それは、運搬人の小包を正確に配送する好ましい効果を有する。
【００４８】
第２の実施形態は以下の通りである。
【００４９】
第１の実施形態は、識別コードと対象のオブジェクト記述情報との間の対応関係の詳細な実施態様を提供する。そのような対応関係は、その後、対象のオブジェクト記述情報をユーザに提供するために使用される。第２の実施形態は、サーバのそれぞれから対象のオブジェクト記述情報を提供する詳細な実施態様を提供する。
【００５０】
図２を参照して、本開示の第２の実施形態は、物流内容情報を提供する方法を提供し、方法は以下のステップを含んでも良い。
【００５１】
Ｓ２０１：サーバは、識別コードと対象のオブジェクト記述情報との間の対応関係を事前に記憶する。
【００５２】
Ｓ２０２：対象のオブジェクト記述情報を取得する要求がクライアント端末から受信されるとき、識別コードの情報が要求から抽出される。対象のクーリエ貨物運送状上のグラフィックコードが撮像デバイスによるスキャンを介して取得された後、クライアント端末はグラフィックコードから識別コードを分析及び抽出し、要求を送信する。
【００５３】
Ｓ２０３：識別コードと関連付けられた対象のオブジェクト記述情報が事前に記憶された対応関係に従って決定される。
【００５４】
Ｓ２０４：クライアント端末が存在する端末デバイスが、対象のオブジェクト記述情報を表示して、対応する運搬人の小包内の製品をプレビューするように、対象のオブジェクト記述情報が返却される。
【００５５】
詳細な実施態様では、サーバにおける事前に記憶された対応関係がプレビュー特権情報も含むとき、そのような特権情報も、クライアント端末の特権認証を行うために使用されても良い。認証が通るとき、対象のオブジェクト記述情報を返却するステップがトリガされる。
【００５６】
プレビュー特権情報は、パスワード情報を含んでも良い。クライアント端末が特権情報を使用することによって特権認証を行われるとき、パスワードを入力するオプションが最初に提供される。クライアント端末によってアップロードされたパスワード情報を受信した後、そのようなパスワード情報は、対応関係に記憶されたパスワード情報と比較される。一致するとき、認証が通る。
【００５７】
第３の実施形態は以下の通りである。
【００５８】
第３の実施形態は、第２の実施形態に対応し、クライアント端末の視点から対象のオブジェクト記述情報を提供する詳細な実施態様を説明する。
【００５９】
図３を参照して、本開示の第３の実施形態は、物流内容情報を提供する方法を提供し、方法は以下のステップを含んでも良い。
【００６０】
Ｓ３０１：クライアント端末は、スキャンされたグラフィックコードから識別コードを抽出する。グラフィックコードは、運搬人貨物運送状に印刷されたグラフィックコードである。
【００６１】
Ｓ３０２：サーバが、識別コードと対象のオブジェクト記述情報との間の事前に記憶された対応関係に従って、識別コードと関連付けられた対象のオブジェクト記述情報を決定及び返却するように、識別コードがサーバに提出される。
【００６２】
Ｓ３０３：対象のオブジェクト記述情報がサーバから受信された後、クライアント端末は、対象のオブジェクト記述情報を表示して、運搬人の小包内の製品をプレビューする。
【００６３】
対象のオブジェクト記述情報の表示は、拡張現実技術を使用しても良い。すなわち、端末デバイスのスクリーン上のスキャンされたオブジェクト（運搬人貨物運送状バーコード番号など）の位置が、対象のオブジェクト記述情報を表示するために座標として使用される。
【００６４】
上記第２の実施形態及び第３の実施形態は、第１の実施形態に対応する。よって、関連する実施態様の詳細は、本明細書では詳細にされない、第１の実施形態の説明を指すことができる。
【００６５】
第４の実施形態は以下の通りである。
【００６６】
第１の実施形態に示されるように、購入者ユーザのプライバシを保護するために、本開示の技術によって、対象のオブジェクトのプレビュー特権をセットアップすることが可能になる。第４の実施形態は、そのような実施態様の処理を説明する。
【００６７】
図４を参照して、本開示の第４の実施形態は、取引注文を生成する方法を提供し、方法は以下のステップを含んでも良い。
【００６８】
Ｓ４０１：取引オブジェクトに対する取引注文を生成するときのプレビュー特権設定オプションを提供し、プレビュー特権設定オプションは、運搬人貨物運送状に印刷されたグラフィックコードをスキャンすることによって小包内容がプレビューされるときに対応するプレビュー特権情報を設定するために使用される。
【００６９】
Ｓ４０２：プレビュー特権設定オプションを通じてプレビュー特権情報を受信する。
【００７０】
Ｓ４０３：取引注文の識別子とプレビュー特権情報との間の対応関係を記憶する。
【００７１】
プレビュー特権情報は、パスワード情報を含む。運搬人の小包の内容が運搬人貨物運送状に印刷されたグラフィックコードをスキャンすることを通じてプレビューされるとき、パスワード情報が特権制御のために使用される。
【００７２】
第４の実施形態の詳細な実施態様は、本明細書では詳細にされない、第１の実施形態の関連する説明を指すことができる。
【００７３】
第１の実施形態で提供されるような運搬人情報を相関付ける方法に対応して、本開示はまた、クーリエ情報を相関付ける装置を提供する。図５を参照して、装置は、
対象の取引注文に対して入力された物流情報を受信する物流情報受信ユニット５０１と、
対象の取引注文と関連付けられた対象の取引オブジェクト識別子を決定する対象オブジェクト識別子決定ユニット５０２と、
対象の取引オブジェクト識別子に対応する対象のオブジェクト記述情報を決定する対象オブジェクト記述情報決定ユニット５０３と、
識別コードを決定する識別コード決定ユニットであって、識別コードは、グラフィックコードの形式で対象のクーリエ貨物運送状に印刷される、識別コード決定ユニット５０４と、
対象のクーリエ貨物運送状上のグラフィックコードが撮像デバイスによってスキャンされるとき、対象のオブジェクト記述情報が撮像デバイスにおいて表示されて、対応するクーリエの小包内の製品のプレビューを提供するように、識別コードと対象のオブジェクト記述情報との間の対応関係を確立及び記憶する対応関係確立ユニット５０５と、
を含んでも良い。
【００７４】
特定の実施態様では、装置はまた、
取引オブジェクト識別子と対象のオブジェクト記述情報との間の対応関係を記憶する、取引オブジェクト内容記述情報のデータベースを提供するデータベース確立ユニットを含んでも良い。
【００７５】
対象オブジェクト記述情報決定ユニット５０３はさらに、データベースを検索し、取引オブジェクト識別子に対応する対象のオブジェクト記述情報を決定する問い合わせサブユニットを含んでも良い。
【００７６】
別の実施態様では、対象オブジェクト識別子決定ユニット５０２は、
対象の取引オブジェクトの詳細な記述情報を取得する詳細記述情報取得サブユニットと、
対象の取引オブジェクトに対応する対象の内容記述情報を詳細な記述情報から抽出する内容記述情報抽出サブユニットと、
を含んでも良い。
【００７７】
識別コード決定ユニット５０４は、対象の運搬人貨物運送状識別子を物流情報から抽出し、対象の運搬人貨物運送状番号を識別番号として決定する運搬人貨物運送状識別子抽出サブユニットを含んでも良い。
【００７８】
代わりに、識別コード決定ユニット５０４は、事前に設定されたルールに従って、識別コードを生成する識別コード生成サブユニットを含んでも良い。装置はまた、
生成された識別コードに従って、グラフィックコードを生成するグラフィックコード生成ユニットと、
生成されたグラフィックコード情報を返却して、生成されたグラフィックコードを対象の運搬人貨物運送状に印刷するグラフィックコード情報返却ユニットと、
を含んでも良い。
【００７９】
実際の実施態様では、装置はさらに、
対象の取引注文と関連付けられたプレビュー特権情報を決定するプレビュー特権情報決定ユニットと、
対象の運搬人貨物運送状識別番号と対象のオブジェクト記述情報との間の対応関係を記憶するときにプレビュー特権情報を記憶するプレビュー特権情報記憶ユニットと、
を含んでも良い。
【００８０】
撮像デバイスが対象の貨物運送状番号をスキャンするときに、特権制御がパスワード認証を通じて行われるように、ビュー特権情報は、パスワード情報を含む。
【００８１】
本開示の第２の実施形態において物流内容情報を提供する方法に対応して、本開示はまた、物流内容情報を提供する装置を提供し、装置は、
サーバが識別コードと対象のオブジェクト記述情報との間の対応関係を事前に記憶する対応関係記憶ユニット６０１と、
対象のオブジェクト記述情報を取得する要求がクライアント端末から受信されるとき、識別コードの情報を要求から抽出する識別コード抽出ユニット６０２であって、対象のクーリエ貨物運送状上のグラフィックコードが撮像デバイスによるスキャンを介して取得された後、クライアント端末は、グラフィックコードから識別コードを分析及び抽出し、要求を送信する、識別コード抽出ユニット６０２と、
事前に記憶された対応関係に従って、識別コードと関連付けられた対象のオブジェクト記述情報を決定する対象オブジェクト記述情報決定ユニット６０３と、
クライアント端末が存在する端末デバイスが、対象のオブジェクト記述情報を表示して、対応する運搬人の小包内の製品をプレビューするように、対象のオブジェクト記述情報を返却する対象オブジェクト記述情報返却ユニット６０４と、
を含む。
【００８２】
事前に記憶された対応関係はまた、プレビュー特権情報を含んでも良い。装置はさらに、クライアント端末の特権認証を行うためにプレビュー特権情報を使用する特権認証ユニットを含んでも良い。認証が通る場合、対象のオブジェクト記述情報を返却するステップがトリガされる。
【００８３】
プレビュー特権情報は、パスワード情報を含んでも良い。特権認証ユニットは、
パスワード情報を入力するオプションを提供するオプション提供サブユニットと、
クライアント端末によってアップロードされたパスワード情報を受信した後、そのようなパスワード情報を対応関係に記憶されたパスワード情報と比較し、一致する場合、認証を通すパスワード受信サブユニットと、
を含んでも良い。
【００８４】
本開示の第３の実施形態によって提供される物流内容情報を提供する方法に対応して、本開示はまた、物流内容情報を提供する装置を提供する。
【００８５】
図７を参照して、装置は、
スキャンされたグラフィックコードから識別コードを抽出する識別子抽出ユニット７０１であって、グラフィックコードは、運搬人貨物運送状に印刷されたグラフィックコードである、識別子抽出ユニット７０１と、
サーバが、識別コードと対象のオブジェクト記述情報との間の事前に記憶された対応関係に従って、識別コードと関連付けられた対象のオブジェクト記述情報を決定及び返却するように、識別コードをサーバに提出する提出ユニット７０２と、
対象のオブジェクト記述情報がサーバから受信された後、対象のオブジェクト記述情報を表示して、運搬人の小包内の製品をプレビューする対象オブジェクト記述情報表示ユニット７０３と、
を含んでも良い。
【００８６】
対象オブジェクト記述情報表示ユニット７０３は、対象のオブジェクト記述情報を表示するために、端末デバイスのスクリーン上のスキャンされたグラフィックコードの位置を座標として使用する。
【００８７】
第４の実施形態によって提供される取引注文を生成する方法に対応して、本開示はまた、取引注文を生成する方法を提供する。図８を参照して、装置は、
取引オブジェクトに対する取引注文を生成するときのプレビュー特権設定オプションを提供する設定オプション提供ユニット８０１であって、プレビュー特権設定オプションは、運搬人貨物運送状に印刷されたグラフィックコードをスキャンすることによって小包内容がプレビューされるときに対応するプレビュー特権情報を設定するために使用される、設定オプション提供ユニット８０１と、
プレビュー特権設定オプションを通じてプレビュー特権情報を受信するプレビュー特権情報受信ユニット８０２と、
取引注文の識別子とプレビュー特権情報との間の対応関係を記憶する対応関係記憶ユニット８０３と、
を含んでも良い。
【００８８】
プレビュー特権情報は、パスワード情報を含んでも良い。小包内容が運搬人貨物運送状に印刷されたグラフィックコードをスキャンすることによってプレビューされるとき、パスワード情報は、特権認証のために使用される。
【００８９】
実施形態の上記説明から、当業者のうちの１人は、本開示がソフトウェア及び必要な汎用ハードウェアプラットフォームによって実装されても良いことを明確に理解することができる。そのような理解に基づいて、従来技術の改善に貢献する本開示の技術的解決策またはそれらの一部の本質は、ソフトウェア製品の形式で具体化されても良い。コンピュータソフトウェア製品は、ＲＯＭ／ＲＡＭ、ハードディスク、光ディスクなどのコンピュータ可読媒体に記憶されても良く、コンピューティングデバイス（パーソナルコンピュータ、サーバ、またはネットワークデバイスなど）に本開示の様々な実施形態または本開示の一部の実施形態によって説明された一部の方法を実行させるコンピュータ可読命令がコンピュータ可読媒体に記憶される。
【００９０】
本開示の様々な実施形態は、進歩的な形式で説明された。様々な実施形態の同一のまたは類似の部分は相互を指すことができる。各実施形態は、他の実施形態とのその差異を強調する。特に、システムまたはシステムの実施形態に関して、それらは基本的には方法の実施形態と同様であるので、それらは、比較的簡潔に説明され、関連する部分は、方法の実施形態の対応する部分を指すことができる。上記説明されたシステム及びシステムの実施形態は例示的なものにすぎない。別個のユニットとして説明されたモジュールまたはユニットは、物理的なユニットであっても良く、もしくはそうでなくても良く、１つの位置に位置しても良く、または様々なネットワークユニットにおいて分散されても良い。モジュールの全てのうちの一部は、実際の必要性に従って、本開示の実施形態の目的を実装するために選択されても良い。当業者のうちの１人は、創造的努力を使用することなく本開示の実施形態を理解及び実装することができる。
【００９１】
上記説明は、物流情報を相関付け、物流内容情報を提供する方法及び装置を詳細に説明してきた。本開示は、本開示の原理及び実施態様を示すために特定の例を使用する。その一方で、当業者は、本開示の原理に従って、特定の実施態様及び適用範囲を変更することができる。全体として、明細書の説明は、本開示の限定として解釈されるべきでない。
【図１】
2018515829.tif 000004
【図２】
2018515829.tif 000005
【図３】
2018515829.tif 000006
【図４】
2018515829.tif 000007
【図５】
2018515829.tif 000008
【図６】
2018515829.tif 000009
【図７】
2018515829.tif 000010
【図８】
2018515829.tif 000011
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
物流情報を相関付ける方法であって、前記方法は、
対象の取引注文に対して入力された物流情報を受信することと、
前記対象の取引注文と関連付けられた対象の取引オブジェクト識別子を決定することと、
前記対象の取引オブジェクト識別子に対応する対象のオブジェクト記述情報を決定することと、
識別コードを決定することであって、前記識別コードは、グラフィックコードの形式で対象のクーリエ貨物運送状に印刷される、決定することと、
前記対象のクーリエ貨物運送状上の前記グラフィックコードが撮像デバイスによってスキャンされるとき、前記対象のオブジェクト記述情報が前記撮像デバイスにおいて表示されて、対応するクーリエの小包内の製品のプレビューを提供するように、前記識別コードと前記対象のオブジェクト記述情報との間の対応関係を確立及び記憶することと、
を備える、方法。
【請求項２】
前記識別コードと前記対象のオブジェクト記述情報との間の前記対応関係を記憶する取引オブジェクト内容記述情報のデータベースを事前に確立することと、
前記対象の取引オブジェクト識別子に対応する前記対象のオブジェクト記述情報を決定することは、
前記データベースを検索することと、
前記対象の取引オブジェクト識別子に対応する前記対象のオブジェクト記述情報を決定することと、
を含む、請求項１に記載の方法。
【請求項３】
前記対象の取引オブジェクト識別子に対応する前記対象のオブジェクト記述情報を決定することは、
前記対象の取引オブジェクトの詳細な記述情報を取得することと、
前記詳細な記述情報から前記対象の取引オブジェクトに対応する前記対象のオブジェクト記述情報を抽出することと、
を含む、請求項１に記載の方法。
【請求項４】
前記識別コードを決定することは、
前記物流情報から対象の運搬人貨物運送状識別子を抽出することと、
前記対象の運搬人貨物運送状識別子を前記識別コードとして決定することと、
を含む、請求項１に記載の方法。
【請求項５】
前記識別コードを決定することは、前記識別コードを生成することを含み、
前記方法はさらに、
前記生成された識別コードに従って、グラフィックコードを生成することと、
前記対象の運搬人貨物運送状に印刷されるように前記生成されたグラフィックコードを返却することと、
を備える、請求項１に記載の方法。
【請求項６】
前記対象の取引注文と関連付けられたプレビュー特権情報を決定することと、
前記識別コードと前記対象のオブジェクト記述情報との間の前記対応関係を記憶するときに前記プレビュー特権情報を記憶することと、
をさらに備える、請求項１〜５のいずれか１項に記載の方法。
【請求項７】
前記グラフィックコードが前記撮像デバイスによってスキャンされるときに特権制御がパスワード認証を通じて行われるように、前記プレビュー特権情報は、パスワード情報を含む、請求項６に記載の方法。
【請求項８】
物流情報を提供する方法であって、前記方法は、
サーバによって、識別コードと対象のオブジェクト記述情報との間の対応関係を事前に記憶することと、
前記対象のオブジェクト記述情報を取得する要求をクライアント端末から受信するとき、前記識別コードの情報を前記要求から抽出することであって、対象のクーリエ貨物運送状上のグラフィックコードが撮像デバイスによるスキャンを介して取得された後、前記クライアント端末は、前記グラフィックコードから前記識別コードを分析及び抽出し、前記要求を送信する、抽出することと、
前記事前に記憶された対応関係に従って、前記識別コードと関連付けられた前記対象のオブジェクト記述情報を決定することと、
前記クライアント端末が存在する端末デバイスが、前記対象のオブジェクト記述情報を表示して、対応する運搬人の小包内の製品をプレビューするように、前記対象のオブジェクト記述情報を返却することと、
を備える、方法。
【請求項９】
前記事前に記憶された対応関係は、プレビュー特権情報を含み、
前記方法はさらに、
前記クライアント端末の特権認証を行うために前記プレビュー特権情報を使用することと、
前記特権認証が通る場合、前記対象のオブジェクト記述情報を返却するステップをトリガすることと、
を備える、請求項８に記載の方法。
【請求項１０】
前記プレビュー特権情報は、パスワード情報を含み、
前記クライアント端末の前記特権認証を行うために前記プレビュー特権情報を使用することは、
前記パスワード情報を入力するオプションを提供することと、
前記クライアント端末によってアップロードされた前記パスワード情報を受信した後、前記クライアント端末によってアップロードされた前記パスワード情報を前記対応関係に記憶された前記パスワード情報と比較することと、
前記クライアント端末によってアップロードされた前記パスワード情報が前記対応関係に記憶された前記パスワード情報と一致するとき、前記特権認証を通すことと、
を含む、請求項９に記載の方法。
【請求項１１】
物流内容情報を提供する方法であって、前記方法は、
クライアント端末によって、スキャンされたグラフィックコードから識別コードを抽出することであって、前記グラフィックコードは、運搬人貨物運送状に印刷される、抽出することと、
サーバが、前記識別コードと対象のオブジェクト記述情報との間の事前に記憶された対応関係に従って、前記識別コードと関連付けられた前記対象のオブジェクト記述情報を決定及び返却するように、前記識別コードを前記サーバに提出することと、
前記対象のオブジェクト記述情報を前記サーバから受信した後、前記対象のオブジェクト記述情報を表示して、運搬人の小包内の製品をプレビューすることと、
を備える、方法。
【請求項１２】
前記対象のオブジェクト記述情報を表示することは、
前記対象のオブジェクト記述情報を表示するために、端末デバイスのスクリーン上の前記スキャンされたグラフィックコードの位置を座標として使用することを含む、
請求項１１に記載の方法。
【請求項１３】
取引注文を生成する方法であって、
取引オブジェクトに対する取引注文を生成するときのプレビュー特権設定オプションを提供することであって、前記プレビュー特権設定オプションは、運搬人貨物運送状に印刷されたグラフィックコードをスキャンすることによって運搬人の小包内の内容がプレビューされるときに対応するプレビュー特権情報を設定するために使用される、提供することと、
前記プレビュー特権設定オプションを通じてプレビュー特権情報を受信することと、
前記取引注文の識別子と前記プレビュー特権情報との間の対応関係を記憶することと、
を備える、方法。
【請求項１４】
前記運搬人貨物運送状に印刷された前記グラフィックコードをスキャンすることによって前記運搬人の小包の前記内容がプレビューされるときに特権制御がパスワード情報を通じて行われるように、前記プレビュー特権情報は、前記パスワード情報を含む、請求項１３に記載の方法。
【請求項１５】
物流情報を相関付ける装置であって、前記装置は、
対象の取引注文に対して入力された物流情報を受信する物流情報受信ユニットと、
前記対象の取引注文と関連付けられた対象の取引オブジェクト識別子を決定する対象オブジェクト識別子決定ユニットと、
前記対象の取引オブジェクト識別子に対応する対象のオブジェクト記述情報を決定する対象オブジェクト記述情報決定ユニットと、
識別コードを決定する識別コード決定ユニットであって、前記識別コードは、グラフィックコードの形式で対象のクーリエ貨物運送状に印刷される、前記識別コード決定ユニットと、
対象のクーリエ貨物運送状上のグラフィックコードが撮像デバイスによってスキャンされるとき、前記対象のオブジェクト記述情報が前記撮像デバイスにおいて表示されて、対応するクーリエの小包内の製品のプレビューを提供するように、前記識別コードと前記対象のオブジェクト記述情報との間の対応関係を確立及び記憶する対応関係確立ユニットと、
を備える、装置。
【請求項１６】
取引オブジェクト内容記述情報のデータベースを予め提供するデータベース確立ユニットであって、前記データベースは、前記識別コードと前記対象のオブジェクト記述情報との間の前記対応関係を記憶する、前記データベース確立ユニットをさらに備え、
前記対象オブジェクト記述情報決定ユニットは、
前記データベースを検索し、前記対象の取引オブジェクト識別子に対応する前記対象のオブジェクト記述情報を決定する問い合わせサブユニットを含む、
請求項１５に記載の装置。
【請求項１７】
前記対象オブジェクト記述情報決定ユニットは、
前記対象の取引オブジェクトの詳細な記述情報を取得する詳細記述情報取得サブユニットと、
前記詳細な記述情報から前記対象の取引オブジェクトに対応する前記対象の内容記述情報を抽出する内容記述情報抽出サブユニットと、
を含む、請求項１５に記載の装置。
【請求項１８】
前記識別コード決定ユニットは、前記物流情報から対象の運搬人貨物運送状識別子を抽出し、前記対象の運搬人貨物運送状番号を識別番号として決定する運搬人貨物運送状識別子抽出サブユニットを含む、請求項１５に記載の装置。
【請求項１９】
前記識別コード決定ユニットは、事前に設定されたルールに従って前記識別コードを生成する識別コード生成サブユニットを含み、
前記装置はさらに、
前記生成された識別コードに従って、グラフィックコードを生成するグラフィックコード生成ユニットと、
前記生成されたグラフィックコード情報を返却して、前記生成されたグラフィックコードを対象の運搬人貨物運送状に印刷するグラフィックコード情報返却ユニットと、
を備える、請求項１５に記載の装置。
【請求項２０】
前記対象の取引注文と関連付けられたプレビュー特権情報を決定するプレビュー特権情報決定ユニットと、
前記対象の運搬人貨物運送状識別番号と前記対象のオブジェクト記述情報との間の前記対応関係を記憶するときに前記プレビュー特権情報を記憶するプレビュー特権情報記憶ユニットと、
をさらに備える、請求項１５〜１９のいずれか１項に記載の装置。
【請求項２１】
前記グラフィックコードが前記撮像デバイスによってスキャンされるときに特権制御がパスワード認証を通じて行われるように、前記プレビュー特権情報は、パスワード情報を含む、請求項２０に記載の装置。
【請求項２２】
物流情報を提供する装置であって、前記装置は、
サーバが識別コードと対象のオブジェクト記述情報との間の対応関係を事前に記憶する対応関係記憶ユニットと、
対象のオブジェクト記述情報を取得する要求がクライアント端末から受信されるとき、前記識別コードの情報を前記要求から抽出する識別コード抽出ユニットであって、対象のクーリエ貨物運送状上のグラフィックコードが撮像デバイスによるスキャンを介して取得された後、前記クライアント端末は、前記グラフィックコードから前記識別コードを分析及び抽出し、前記要求を送信する、前記識別コード抽出ユニットと、
前記事前に記憶された対応関係に従って、前記識別コードと関連付けられた前記対象のオブジェクト記述情報を決定する対象オブジェクト記述情報決定ユニットと、
前記クライアント端末が存在する端末デバイスが、前記対象のオブジェクト記述情報を表示して、対応する運搬人の小包内の製品をプレビューするように、前記対象のオブジェクト記述情報を返却する対象オブジェクト記述情報返却ユニットと、
を備える、装置。
【請求項２３】
前記事前に記憶された対応関係は、プレビュー特権情報を含み、
前記装置はさらに、
前記クライアント端末の特権認証を行うために前記プレビュー特権情報を使用し、前記特権認証が通るとき、前記対象のオブジェクト記述情報を返却するステップをトリガする特権認証ユニットを備える、
請求項２２に記載の装置。
【請求項２４】
前記プレビュー特権情報は、パスワード情報を含み、
前記特権認証ユニットは、
前記パスワード情報を入力するオプションを提供するオプション提供サブユニットと、
前記クライアント端末によってアップロードされた前記パスワード情報を受信した後、前記クライアント端末によってアップロードされた前記パスワード情報を前記対応関係に記憶された前記パスワード情報と比較し、一致するときに前記特権認証を通すパスワード受信ユニットと、
を含む、請求項２３に記載の装置。
【請求項２５】
物流内容情報を提供する装置であって、前記装置は、
スキャンされたグラフィックコードから識別コードを抽出する識別子抽出ユニットであって、前記グラフィックコードは、運搬人貨物運送状に印刷される、前記識別子抽出ユニットと、
サーバが、前記識別コードと対象のオブジェクト記述情報との間の事前に記憶された対応関係に従って、前記識別コードと関連付けられた前記対象のオブジェクト記述情報を決定及び返却するように、前記識別コードを前記サーバに提出する提出ユニットと、
前記対象のオブジェクト記述情報が前記サーバから受信された後、前記対象のオブジェクト記述情報を表示して、運搬人の小包内の製品をプレビューする対象オブジェクト記述情報表示ユニットと、
を備える、装置。
【請求項２６】
前記対象オブジェクト記述情報表示ユニットは、前記対象のオブジェクト記述情報を表示するために、端末デバイスのスクリーン上の前記スキャンされたグラフィックコードの位置を座標として使用する、請求項２５に記載の装置。
【請求項２７】
取引注文を生成する装置であって、前記装置は、
取引オブジェクトに対する取引注文を生成するときのプレビュー特権設定オプションを提供する設定オプション提供ユニットであって、前記プレビュー特権設定オプションは、運搬人貨物運送状に印刷されたグラフィックコードをスキャンすることによって小包の内容がプレビューされるときに対応するプレビュー特権情報を設定するために使用される、前記設定オプション提供ユニットと、
前記プレビュー特権設定オプションを通じてプレビュー特権情報を受信するプレビュー特権情報受信ユニットと、
前記取引注文の識別子と前記プレビュー特権情報との間の対応関係を記憶する対応関係記憶ユニットと、
を備える、装置。
【請求項２８】
前記運搬人貨物運送状上の前記グラフィックコードをスキャンすることによって運搬人の小包内の内容がプレビューされるときに特権制御がパスワード情報を通じて行われるように、前記プレビュー特権情報は、前記パスワード情報を含む、請求項２７に記載の装置。
【国際調査報告】
2018515829.tif 000012
2018515829.tif 000013
2018515829.tif 000014
2018515829.tif 000015